(57)【要約】【課題】  本体下部に位置する熱交換器に対して外気が導入される場合であっても、熱交換器に塵埃が付着することを簡素な構成により有効に抑制することが可能な自動販売機を提供する。【解決手段】  自動販売機は、収納室および機械室を有し、機械室内には、収納室内を冷却する冷却装置が設けられる。冷却装置は、外部から吸入される空気に接触することにより、内部に流通する冷媒を冷却または加熱する凝縮器（熱交換器）を備えている。凝縮器は、空気の吸入方向に沿って配置される複数のフィン５０を備えている。このフィン５０においては、少なくとも空気の吸入方向の上流側（前側）となる端面５０ａに防汚被覆膜が形成されている。【選択図】  図３
2019095179.tif 000002
【特許請求の範囲】
【請求項１】
商品を収納する収納室と、
当該収納室よりも下部に位置し、断熱壁により当該収納室から区画される機械室とを有し、
当該機械室内には、前記収納室内を冷却する冷却装置が設けられ、
当該冷却装置は、外部から吸入される空気に接触することにより、内部に流通する冷媒を冷却または加熱する熱交換器を備え、
当該熱交換器は、前記空気の吸入方向に沿って配置される複数のフィンを備え、
当該フィンにおいて、少なくとも前記空気の吸入方向の上流側となる端面に防汚被覆膜が形成されていることを特徴とする、
自動販売機。
【請求項２】
前記防汚被覆膜は、前記フィンにおける前記端面に加えて、当該端面に隣接する側面の一部に形成されていることを特徴とする、
請求項１に記載の自動販売機。
【請求項３】
前記防汚被覆膜は、少なくともナノ粒子により構成され、算術平均粗さＲａが２．５〜１００ｎｍの範囲内の凹凸を有するものであることを特徴とする、
請求項１または２に記載の自動販売機。
【請求項４】
前記防汚被覆膜における前記ナノ粒子の平均粒径は５〜１００ｎｍの範囲内にあることを特徴とする、
請求項３に記載の自動販売機。
【請求項５】
前記防汚被覆膜における前記ナノ粒子が、金属ナノ粒子、無機酸化物ナノ粒子、無機窒化物ナノ粒子、無機カルコゲン化物ナノ粒子、（メタ）アクリル系樹脂ナノ粒子、フッ素樹脂ナノ粒子からなる群より選択される少なくとも１種であることを特徴とする、
請求項３または４に記載の自動販売機。
【請求項６】
前記防汚被覆膜は、前記ナノ粒子に加えて、当該ナノ粒子との親和性を有する材料から少なくとも構成される接着成分を含有することを特徴とする、
請求項３から５のいずれか１項に記載の自動販売機。
【請求項７】
前記防汚被覆膜の膜厚は５００ｎｍ以下であることを特徴とする、
請求項１から６のいずれか１項に記載の自動販売機。
【発明の詳細な説明】
【技術分野】
【０００１】
本発明は、収納室よりも下部に位置する機械室内に冷却装置が設けられる構成の自動販売機に関する。
【背景技術】
【０００２】
自動販売機は、例えば缶入り飲料等の商品を冷却または加温して販売するために、商品を収納する収納室と、収納室内を冷却する冷却装置等が設けられる機械室とを有している。機械室内の冷却装置は、通常、圧縮機を含む冷凍サイクルシステムを備えている。一般的な冷凍サイクルシステムは、圧縮機以外に、熱交換器（凝縮器）、減圧装置、蒸発器等を備えており、これらが配管で接続されている。また、冷凍サイクルシステムは、熱交換器に外気を導入するための送風機も備えている。
【０００３】
自動販売機の基本的な構成では、自動販売機の本体上部に収納室が位置し、本体下部に機械室が位置する。また、収納室および機械室は断熱壁で区画されている。機械室は、収納室よりも下側に位置するため、機械室内の冷凍装置も当然本体下部に位置することになる。冷凍装置が備える熱交換器（凝縮器）に対しては、本体外から送風機（ファン）等により外気を導入するため、一般的には、熱交換器は、自動販売機の本体最下部の前面側に設けられることが多い。
【０００４】
自動販売機の設置場所は、屋外であるか屋内であっても人の出入りが多い場所であることがほとんどである。それゆえ、本体下部に位置する熱交換器に対して外気が導入されると、設置場所の床面付近に存在する塵埃等も外気とともに吸い込まれやすくなる。
【０００５】
このような塵埃にはさまざまな種類のものが存在するが、例えば、綿状の塵埃（綿埃）であれば、熱交換器が備えるフィンの間に綿埃が詰まりやすくなる。さらに綿埃がフィンの間に多く詰まると、フィンの間での通風抵抗が増大し、熱交換器の効率が低下して冷凍サイクルシステム（冷却装置）の冷凍効率も低下する。それゆえ、自動販売機においては、メンテナンス時に熱交換器のフィン間の埃詰まりを掃除する必要がある。
【０００６】
そこで、このような熱交換器のフィン間の埃詰まりを軽減させてメンテナンスの軽減を図るために、特許文献１に開示されているように、フィンにおける空気流入側端面に複数の埃付着軽減部を形成する熱交換器が提案されている。この埃付着軽減部としては、例えば、上向傾斜端面とこの上向傾斜端面の直下に位置する下向水平端面を有する構成が挙げられており、この構成では、空気流入側端面の断面全体を見れば鋸歯状になっている。
【０００７】
このような埃付着軽減部であれば、例えば、吸入される外気中の綿埃が上向傾斜端面に達しても、その傾斜面に沿って下側に滑り落ちるため、綿埃が堆積し難くなる。また、流れ落ちた綿埃が再び吸入されて下向水平端面に達しても、下向水平端面は鉛直下側に向いているので、そもそも綿埃が堆積し難く、綿埃が堆積したとしても自重で下方に落下する。その結果、長期間に亘ってフィン間の綿埃の詰まりを抑制することが可能となる。
【先行技術文献】
【特許文献】
【０００８】
【特許文献１】特開２００１−０３３１８３号公報
【発明の概要】
【発明が解決しようとする課題】
【０００９】
特許文献１に開示される熱交換器は、空気流入側端面に複数の埃付着軽減部を備えることにより、フィン間を流動する空気中の埃の付着を減少させ、埃詰まりを軽減している。
【００１０】
ただし、この熱交換器では、フィンの空気流入側端面を例えば鋸歯状に加工して埃付着軽減部を形成する必要がある。そのため、熱交換器の製造に際しては、フィンに対して埃付着軽減部を設けるための追加的な製造プロセスを実施する必要が生じる。また、この熱交換器では、埃詰まり（目詰まり）が生じたときに、埃付着軽減部が鋸歯状であることから清掃が非常に困難になる等の問題も生じる。
【００１１】
また、特許文献１に開示される構成を既存の自動販売機に適用しようとすると、熱交換器に埃付着軽減部を設ける必要があるため、熱交換器そのものの形状が異なってしまう。これにより、熱交換器だけでなく自動販売機の具体的な構成（例えば自動販売機の本体形状、機械室のレイアウト、熱交換器の周辺構造物等）を設計し直す必要が生じ得る。
【００１２】
本発明はこのような課題を解決するためになされたものであって、本体下部に位置する熱交換器に対して外気が導入される場合であっても、熱交換器に塵埃が付着することを簡素な構成により有効に抑制することが可能な自動販売機を提供することを目的とする。
【課題を解決するための手段】
【００１３】
本発明に係る自動販売機は、前記の課題を解決するために、商品を収納する収納室と、当該収納室よりも下部に位置し、断熱壁により当該収納室から区画される機械室とを有し、当該機械室内には、前記収納室内を冷却する冷却装置が設けられ、当該冷却装置は、外部から吸入される空気に接触することにより、内部に流通する冷媒を冷却または加熱する熱交換器を備え、当該熱交換器は、前記空気の吸入方向に沿って配置される複数のフィンを備え、当該フィンにおいて、少なくとも前記空気の吸入方向の上流側となる端面に防汚被覆膜が形成されている構成である。
【００１４】
前記構成によれば、熱交換器に対して少なくとも空気導入面となるフィンの端面に防汚被覆膜が形成されている。そのため、熱交換器の空気導入面に乾性の汚れが付着することを有効に抑制または防止することが可能となる。また、防汚被覆膜は、汚れを付着し難くするものであるため、空気導入面に多少の汚れが付着しても容易に除去することができる。しかも、空気導入面に防汚被覆膜を形成するだけで良いので、熱交換器の製造に際して追加的な製造プロセスが必要になったり自動販売機そのものの設計を変更したりする必要が回避される。その結果、簡素な構成で製造コストの増大を抑制しつつ、熱交換器の効率の低下を有効に抑制することができ、冷却装置による良好な冷却を実現することができる。
【発明の効果】
【００１５】
本発明では、以上の構成により、本体下部に位置する熱交換器に対して外気が導入される場合であっても、熱交換器に塵埃が付着することを簡素な構成により有効に抑制することが可能な自動販売機を提供することができる、という効果を奏する。
【図面の簡単な説明】
【００１６】
【図１】本発明の実施の形態に係る自動販売機の概略構成の一例を示す模式的断面図である。
【図２】図１に示す自動販売機の模式的斜視図である。
【図３】（Ａ）は、図１，図２に示す自動販売機が備える凝縮器のフィンを示す模式的斜視図であり、（Ｂ）は、（Ａ）に示すフィンの断面を模式的に示す、Ｉ−Ｉ線の矢視断面図である。
【図４】（Ａ）は、本発明の代表的な実施例の結果である熱交換器への塵埃の付着の程度を示す二値化写真の図であり、（Ｂ）は、実施例に対する比較例の結果である熱交換器への塵埃の付着の程度を示す二値化写真の図である。
【発明を実施するための形態】
【００１７】
本開示に係る自動販売機は、商品を収納する収納室と、当該収納室よりも下部に位置し、断熱壁により当該収納室から区画される機械室とを有し、当該機械室内には、前記収納室内を冷却する冷却装置が設けられ、当該冷却装置は、外部から吸入される空気に接触することにより、内部に流通する冷媒を冷却または加熱する熱交換器を備え、当該熱交換器は、前記空気の吸入方向に沿って配置される複数のフィンを備え、当該フィンにおいて、少なくとも前記空気の吸入方向の上流側となる端面に防汚被覆膜が形成されている構成である。
【００１８】
前記構成によれば、熱交換器に対して少なくとも空気導入面となるフィンの端面に防汚被覆膜が形成されている。そのため、熱交換器の空気導入面に乾性の汚れが付着することを有効に抑制または防止することが可能となる。また、防汚被覆膜は、汚れを付着し難くするものであるため、空気導入面に多少の汚れが付着しても容易に除去することができる。しかも、空気導入面に防汚被覆膜を形成するだけで良いので、熱交換器の製造に際して追加的な製造プロセスが必要になったり自動販売機そのものの設計を変更したりする必要が回避される。その結果、簡素な構成で製造コストの増大を抑制しつつ、熱交換器の効率の低下を有効に抑制することができ、冷却装置による良好な冷却を実現することができる。
【００１９】
前記構成の自動販売機においては、前記防汚被覆膜は、前記フィンにおける前記端面に加えて、当該端面に隣接する側面の一部に形成されている構成であってもよい。
【００２０】
前記構成によれば、空気導入面となるフィンの端面に加えて、この端面に隣接する側面の一部にも防汚被覆膜が形成されている。それゆえ、空気導入面とともに、当該空気導入面に隣接する側面においても塵埃の付着を抑制することができる。これにより、空気導入面に乾性の汚れが付着することを、より一層有効に抑制または防止することができる。
【００２１】
前記構成の自動販売機においては、前記防汚被覆膜は、少なくともナノ粒子により構成され、算術平均粗さＲａが２．５〜１００ｎｍの範囲内の凹凸を有するものである構成であってもよい。
【００２２】
前記構成によれば、防汚被覆膜として、ナノ粒子により構成された微細な表面凹凸を有する構成のものが形成されている。これにより、少なくとも熱交換器の空気導入面に乾性の汚れが付着することを有効に抑制または防止することが可能となる。
【００２３】
前記構成の自動販売機においては、前記防汚被覆膜における前記ナノ粒子の平均粒径は５〜１００ｎｍの範囲内にある構成であってもよい。
【００２４】
前記構成によれば、ナノ粒子の平均粒径が前記の範囲内であれば、微細な表面凹凸をより良好に実現することができる。
【００２５】
また、前記構成の自動販売機においては、前記ナノ粒子が、金属ナノ粒子、無機酸化物ナノ粒子、無機窒化物ナノ粒子、無機カルコゲン化物ナノ粒子、（メタ）アクリル系樹脂ナノ粒子、フッ素樹脂ナノ粒子からなる群より選択される少なくとも１種である構成であってもよい。
【００２６】
前記構成によれば、ナノ粒子が前記群の少なくともいずれかの材質からなる粒子であれば、自動販売機の熱交換器に対して良好な防汚被覆膜を形成することができる。
【００２７】
また、前記構成の熱交換器においては、前記防汚被覆膜の膜厚は５００ｎｍ以下である構成であってもよい。
【００２８】
前記構成によれば、防汚被覆膜の帯電性を良好に軽減させ、乾性の汚れの付着を良好に抑制または防止することができる。
【００２９】
また、前記構成の熱交換器においては、前記防汚被覆膜は、前記ナノ粒子に加えて、当該ナノ粒子との親和性を有する材料から少なくとも構成される接着成分を含有する構成であってもよい。
【００３０】
前記構成によれば、防汚被覆膜の強度または耐久性を向上することができるとともに、表面の微細な凹凸が維持されやすくなり、乾性の汚れの付着を抑制または防止する効果を向上することができる。
【００３１】
以下、本発明の代表的な実施の形態を、図面を参照しながら説明する。なお、以下では全ての図を通じて同一又は相当する要素には同一の参照符号を付して、その重複する説明を省略する。
【００３２】
［自動販売機の構成例］
本開示に係る自動販売機の代表的な構成の一例について、図１および図２を参照して説明する。図１および図２に示すように、本実施の形態に係る自動販売機１０は、筐体であるその本体（販売機本体）１１内に、収納室１２および機械室１３を有している。収納室１２は販売機本体１１の上部に位置し、機械室１３は販売機本体１１の下部（収納室１２の下方）に位置する。販売機本体１１の前面は開口しており、この開口が外扉１４および内扉１５により閉止される。したがって、外扉１４および内扉１５は、販売機本体１１の前面に開閉可能に設けられている。
【００３３】
収納室１２および機械室１３は販売機本体１１内で内部断熱壁１６により区画されている。収納室１２の周囲はいずれも断熱壁により覆われている。すなわち収納室１２の両側面、天面、および背面となる販売機本体１１の壁部と、収納室１２の底面となる内部断熱壁１６と、収納室１２の前面となる内扉１５は、いずれも断熱材または断熱構造体により構成されている。また、図２に示すように、内扉１５は、収納室１２の前面のみを閉止するように構成されている。したがって、収納室１２は、周囲を覆う断熱材または断熱構造体により半密閉構造になっている。
【００３４】
収納室１２の内部には、収納棚２０が設けられている。収納棚２０の上部前面には、商品４０を投入する商品投入口２１が設けられている。商品投入口２１から商品４０を投入することで、例えば図１に示すように、収納棚２０の内部に複数の商品４０が収納される。後述するように、収納室１２内は冷却器３３により冷却されるので、商品４０は、収納棚２０に収納されることにより冷却保存される。商品投入口２１は、図１および図２に示すように、収納棚２０の上部前面において縦方向に複数設けられており、収納棚２０は、販売機本体１１の前後方向に並列している。これにより、複数種類の商品４０を個別に収納することができる。
【００３５】
収納棚２０の下部には、商品シュート２２が設けられている。商品シュート２２は、販売機本体１１の後側から前側に向かって下方に傾斜する斜面状の構成を有している。また、商品シュート２２の前側となる内扉１５には、商品搬出口２３が設けられ、商品搬出口２３は、前後方向に揺動可能な搬出口扉２４で閉止されている。
【００３６】
収納室１２の下方の機械室１３には、冷却装置３０が設けられている。冷却装置３０は、圧縮機３１、凝縮器（熱交換器）３２、図示しない減圧装置、冷却器３３、および配管３４等を備えている。圧縮機３１、凝縮器３２、減圧装置、および冷却器３３は、この順で配管３４により接続することにより冷凍サイクルの冷媒回路を構成している。したがって、冷却装置３０は冷凍サイクルシステムを構成している。
【００３７】
凝縮器３２の具体的な構成は特に限定されないが、本実施の形態では、フィンアンドチューブ型のものを用いることができる。フィンアンドチューブ型の凝縮器３２は、平板状の複数のフィンと配管３４に接続される冷媒管とを備えている。平板状のフィンは、複数積層され、冷媒管は、これらフィンを貫通するように複数の折り返し部分を有している。凝縮器３２の他の具体的な構成としては、例えば、多孔管型のものも好適に用いることができる。多孔管型の凝縮器３２は、内部に複数の流路を有する細い多孔管をつづら折り状に曲げ加工し、この曲げ加工した多孔管にフィン等を設けた構成を有している。これらフィンは、空気の流入方向に沿って配置されていればよい。
【００３８】
本実施の形態では、図１に模式的に示すように、凝縮器３２において少なくともその前面（空気導入面）に防汚被覆膜３７が形成されている。この防汚被覆膜３７は、少なくとも乾性の汚れの付着を防止するものであれば特に限定されない。本実施の形態では、例えば、後述するように、少なくともナノ粒子により構成され、その表面の算術平均粗さＲａが２．５〜１００ｎｍの範囲内の凹凸を有する膜を挙げることができる。
【００３９】
なお、図１においては、凝縮器３２の前面に防汚被覆膜３７が形成されていることを強調するために、防汚被覆膜３７を模式的に図示している。しかしながら、実際の防汚被覆膜３７は、後述するように非常に薄いものであり、図１に模式的に示す防汚被覆膜３７のように厚みのある構成を有するものではない（それゆえ図２では模式的な防汚被覆膜３７は図示していない）。
【００４０】
凝縮器３２の前面に防汚被覆膜３７が形成されている具体的な構成は特に限定されないが、代表的には、図３（Ａ），（Ｂ）に示すように、凝縮器３２が備えるフィン５０の前側端面５０ａ、すなわち、凝縮器３２に対して空気が流れる方向（空気吸入方向）Ｆの上流側の端面に、防汚被覆膜３７が形成されている構成を挙げることができる。図３（Ａ）は、フィン５０の構成例を示す模式的な斜視図であり、図３（Ｂ）は、図３（Ａ）におけるＩ−Ｉ線の矢視方向の模式的断面図であるが、これらに示すように、防汚被覆膜３７は、少なくとも、フィン５０の前側端面（上流側端面）５０ａに形成されている。
【００４１】
また、図３（Ａ）および図３（Ｂ）に示すように、防汚被覆膜３７は、フィン５０の前側端面５０ａだけでなく、側面５０ｂにおける前側の一部に形成されてもよい。さらに、図３（Ａ）に示すように、防汚被覆膜３７は、フィン５０の上面５０ｃにおける前側の一部にも形成されてもよいし、図示しないが、フィン５０の下面における前側の一部にも形成されてもよい。
【００４２】
なお、後述するが、本開示においては、防汚被覆膜３７の具体的構成は特に限定されないものの、その代表的な一例として、少なくともナノ粒子により構成され、算術平均粗さＲａが所定範囲内の凹凸を有するものが挙げられる。このような防汚被覆膜３７は、形成方法にもよるが、前側端面５０ａにおける当該防汚被覆膜３７を構成するナノ粒子の単位面積当たりの量（ナノ粒子の濃度）が最も多く（最も濃く）、当該前側端面５０ａに隣接する側面５０ｂ、上面５０ｃ、または図示しない下面においては、ナノ粒子の量（濃度）は、前側端面５０ａから離れると少なく（薄く）なる構成を挙げることができる。
【００４３】
そこで、模式的斜視図である図３（Ａ）では、防汚被覆膜３７におけるナノ粒子の濃度が、側面５０ｂまたは上面５０ｃにおいて、前側端面５０ａから離れると薄くなることを図示する便宜上、フィン５０本体を黒で図示し、防汚被覆膜３７を白で図示し、ナノ粒子の濃度が薄くなる状態を白から黒が濃くなるグラデーション状に図示している。もちろん、フィン５０および防汚被覆膜３７の構成は、図３（Ａ）に模式的に示す構成例に限定されないことは言うまでもない。
【００４４】
さらに図示しないが、凝縮器３２が前記の通り多孔管型であれば、曲げ加工した多孔管に複数のフィン５０が設けられる構成である。多孔管に設けられるフィン５０では、多孔管を挿入するための貫通孔が形成されており、この貫通孔には、多孔管を挿入した状態で支持かつ保護するために円筒状のカラー部が形成されている。したがって、凝集器３２の前側では、フィン５０の前側端面５０ａだけでなく、フィン５０同士の間の奥側において、内部に多孔管を挿入しているカラー部の前側周面が見える。それゆえ、防汚被覆膜３７は、このカラー部の前側周面に形成されてもよい。
【００４５】
ただし、一般的に用いられるフィン５０の厚さは数十μｍ程度であり、後述するが、防汚被覆膜３７の膜厚は２０〜５００ｎｍの範囲内が好ましい。それゆえ、フィン５０の厚さと防汚被覆膜３７の膜厚とは、１００〜１０００倍程度異なる。そのため、フィン５０の側面５０ｂにも防汚被覆膜３７が形成されるが、この防汚被覆膜３７の形成により空気の流れが有意に妨げられることはない。例えば、図３（Ｂ）では、フィン５０に対して防汚被覆膜３７が形成されていることを模式的に示すために、フィン５０の側面５０ｂに、防汚被覆膜３７による膨らみがあるように図示しているが、この図示は説明の便宜のためであり、実際の防汚被覆膜３７はもっと薄く形成されている。
【００４６】
言い換えれば、凝縮器３２等の熱交換器を前側から見たときに、少なくとも、空気吸入方向Ｆにおける最も上流側に位置する部位（最上流部位）の前面（図３（Ａ），（Ｂ）に示す例では、フィン５０の前側端面５０ａ）に防汚被覆膜３７が形成されていればよい。また、この差異上流部位の前面に隣接する「側面」の一部（図３（Ａ）、（Ｂ）に示す例では、側面５０ｂ、上面５０ｃおよび／または下面の前側の一部）に防汚被覆膜３７が形成されてもよい。さらに、最上流部位以外の部位における前面（前述したフィン５０におけるカラー部の前側周面等）にも防汚被覆膜３７が形成されていればよい。なお、防汚被覆膜３７の具体的構成については後述する。
【００４７】
また、本実施の形態では、自動販売機１０が備える熱交換器としては、凝縮器３２を例示しているが、熱交換器は凝縮器３２に限定されず蒸発器であってもよい。凝縮器３２は、暖かい（相対的に高温の）冷媒を冷却するため、凝縮器３２を通過した空気流（外部からの風）は冷媒から熱を奪うことにより暖かくなる（空気流の温度が上昇する）。一方、蒸発器は、冷たい（相対的に低温の）冷媒を加熱するため、蒸発器を通過した空気流（外部からの風）は冷媒に熱を与えることにより冷たくなる（空気流の温度が上昇する）。また、本開示における熱交換器は、凝縮器３２または蒸発器（または他の構成）であっても、空気吸入方向に沿って設けられるフィンを複数備える構成であればよい。
【００４８】
自動販売機１０においては、圧縮機３１および凝縮器３２は機械室１３の内部に設けられているが、冷却器３３は、収納室１２内を冷却するために収納室１２の内部に設けられている。したがって、冷却装置３０の大部分は、機械室１３の内部に収容されているが、冷却器３３およびその付随物（冷却器３３に接続される配管３４等）は、収納室１２に収容されている。また、冷却装置３０（冷媒回路）内には、公知の冷媒が封入されている。冷媒の具体的な種類は特に限定されない。
【００４９】
機械室１３の内部には、圧縮機３１および凝縮器３２以外に、図１に示す凝縮器ファン３５、図示しない蒸発皿、図２に示す電装箱３６等が設けられている。凝縮器ファン３５は、例えば図１に示すように凝縮器３２の後側に位置している。また、図１および図２に示す例では、凝縮器ファン３５の後側に圧縮機３１が位置している。図示しない蒸発皿も凝縮器ファン３５の後側に位置している。
【００５０】
機械室１３の前側開口には内扉１５は存在せず、外扉１４のみにより閉止されている。そのため、機械室１３は、収納室１２のように半密閉構造になっておらず、機械室１３の内部と外部とは通気可能である。また、図１に示すように、機械室１３の内部では、前側から後側に向けて、凝縮器３２、凝縮器ファン３５および圧縮機３１の順で位置している。そのため、凝縮器３２は機械室１３の最前面に位置している。凝縮器ファン３５が動作することにより、販売機本体１１の前面から凝縮器３２に対して外気が導入される。電装箱３６は、機械室１３内に任意の位置に固定配置されており、その内部には、冷却装置３０の運転等を制御する制御基板等が収容されている。
【００５１】
収納室１２の内部には、前述した収納棚２０および冷却器３３以外に、庫内ファン２５および庫内ダクト２６が設けられている。庫内ファン２５は、例えば、図１に示すように冷却器３３の前側に位置している。また、冷却器３３の後側には庫内ダクト２６が設けられている。庫内ダクト２６は、その上端が収納室１２の内部に向いており、その下端が冷却器３３の後側に面している。図１に示す例では、庫内ファン２５、冷却器３３、および庫内ダクト２６は、収納室１２内の下部後側となる位置に設けられ、これらの前側に商品シュート２２が位置している。
【００５２】
収納室１２は、前記の通り、半密閉構造となっているので、庫内ファン２５が動作することにより、収納室１２の内部空気（庫内空気）が庫内ダクト２６を介して冷却器３３に供給される。供給された庫内空気は冷却器３３により冷却されて、庫内ファン２５により収納室１２内に供給される。これにより、収納室１２の内部では、冷却された庫内空気が循環するため、収納棚２０に収納される商品４０が冷却される。
【００５３】
外扉１４は、販売機本体１１の前面開口全体を閉止する。前記の通り、収納室１２の前面のみを閉止するので、内扉１５および外扉１４が閉止された状態では、図１に示すように、収納室１２の前面には内扉１５および外扉１４が重なるように位置しており、機械室１３の前面には外扉１４のみが位置している。
【００５４】
外扉１４の下部には、商品取出口４１が設けられ、図１に示すように、この商品取出口４１は取出口扉４２によって開閉可能に閉止されている。なお、取出口扉４２はなくてもよい。図１に示すように、外扉１４および内扉１５が閉止された状態では、外扉１４における商品取出口４１の位置は、内扉１５の商品搬出口２３の位置に対応している。外扉１４の上部には、複数の商品見本４３が設けられ、これら商品見本４３に対応するように複数の商品選択ボタン４４が設けられている。
【００５５】
本実施の形態では、商品４０としては缶飲料を模式的に例示しているが、商品４０はこれに限定されず、ペットボトル飲料または瓶飲料でもよいし、飲料以外の缶商品であってもよいし、紙パック商品であってもよいし、それ以外の商品であってもよい。また、図示しないが、外扉１４には、硬貨投入口、紙幣挿入口、ＩＣカードのカードリーダー、硬貨返却口、表示器等が設けられている。
【００５６】
なお、前記構成の自動販売機１０のより具体的な構成は特に限定されない。例えば、販売機本体１１、収納室１２、機械室１３、外扉１４および内扉１５等の具体的構成としては、公知のさまざまな構成を好適に用いることができる。同様に、外扉１４における商品取出口４１、商品見本４３、商品選択ボタン４４等の具体的構成についても公知のさまざまな構成を好適に用いることができる。内扉１５における商品搬出口２３等の構成も同様である。また、冷却装置３０についても、公知の構成を好適に用いることができる。
【００５７】
このような構成の自動販売機１０について、その動作の一例について具体的に説明する。まず、商品４０の冷却動作について説明する。収納室１２の内部では、冷却装置３０の運転により、冷却器３３により庫内空気が冷却される。図１において太点線矢印ｉ１で示すように、冷却された庫内空気は、庫内ファン２５により収納室１２の下部後方から前方上側に向かって送風され、収納棚２０に収容される商品４０を冷却する。その後、商品４０を冷却して収納室１２の上部に達した庫内空気は、太点線矢印ｉ２で示すように、後方の庫内ダクト２６により冷却器３３に導入される。これが繰り返されることにより、収納室１２の内部で庫内空気が循環する。
【００５８】
冷却器３３では、液体冷媒が蒸発（気化）してガス冷媒となり、このときの蒸発潜熱により庫内空気を冷却する。ガス冷媒は、配管３４を介して圧縮機３１において圧縮され、高温高圧ガス冷媒となる。高温高圧ガス冷媒は、凝縮器３２において凝縮されて液化して液体冷媒となる。
【００５９】
図１において太点線矢印ｅ１で示すように、凝縮器ファン３５の動作により販売機本体１１の前方から外気が凝縮器３２に導入されることで、外気との熱交換により高温高圧ガス冷媒が凝縮される。導入された外気は、太点線矢印ｅ２で示すように、機械室１３の後方に位置する圧縮機３１に達し、さらに、太点線矢印ｅ３で示すように、最終的に機械室１３の外部に排出される。
【００６０】
凝縮器３２での凝縮により液化した液体冷媒は、さらに図示しない減圧装置で減圧される。減圧された液体冷媒は冷却器３３において蒸発（気化）してガス冷媒になり、前記の通り庫内空気を冷却する。このように冷媒が気化および液化を繰り返して冷凍サイクル内を循環することで、収納室１２内の内部を冷却する。
【００６１】
また、商品４０の販売時の動作について説明する。購入者が、外扉１４が備える商品見本４３を見て商品選択ボタン４４を操作すると、収納棚２０内に収納されている商品４０は、下部の商品シュート２２に落下する。商品シュート２２では落下した商品４０が収納棚２０の下部前面に向けて滑り落ち、内扉１５に設けられる商品搬出口２３に到達する。商品４０は、商品搬出口２３の搬出口扉２４を前側に揺動させて、商品搬出口２３を通過して外扉１４の商品搬出口２３に達する。商品４０が通過した後には、搬出口扉２４は後側に揺動して商品搬出口２３を閉止する。購入者は、取出口扉４２を開けて商品取出口４１から商品４０を取り出す。
【００６２】
なお、前述した動作例では、収納室１２は商品４０を冷却する構成であるが、収納室１２はこれに限定されず、商品４０を加温する構成であってもよい。したがって、収納室１２は、冷却専用に構成されてもよいし、冷却または加温に切り替え可能に構成されてもよい。したがって、収納室１２の内部には、冷却器３３以外に公知のヒータ等の加温装置が設けられてもよいし、冷却装置３０がヒートポンプ型であって、商品４０の冷却により回収された熱を商品４０の加温に用いてもよい。
【００６３】
ここで、凝縮器３２は、前記の通り、販売機本体１１の下部に設けられる機械室１３の前面に位置しており、販売機本体１１の前方から機械室１３に外気が導入される。自動販売機１０は、多くの場合、屋外であるか屋内であっても人の出入りが多い場所に設置される。それゆえ、自動販売機１０が設置されている床面付近には、さまざまな汚れの原因が存在し、凝縮器３２には、さまざまな汚れが付着する可能性が想定される。凝縮器３２に汚れが付着すれば、凝縮器３２による熱交換効率が低下し、冷凍サイクルシステム（冷却装置３０）による収納室１２の内部の冷却効率が低下するおそれがある。
【００６４】
物品の表面に付着する汚れとしては、「湿性」の汚れと「乾性」の汚れとが考えられる。「湿性」の汚れとしては、親水性の汚れ（ウェットな汚れ）、並びに、親油性の汚れ（オイリーな汚れ）が挙げられる。これらは、水または油等の「液体」を媒体（溶媒または分散媒等）とする汚れである。
【００６５】
一方、「乾性」の汚れ（ドライな汚れ）としては、相対的に比重が大きく硬いものと、相対的に比重が小さく柔らかいものとの２種類に区分することができる。説明の便宜上、前者の「乾性」の汚れを「大比重硬直型」と称し、後者の「乾性」の汚れを「小比重柔軟型」と称すれば、「大比重硬直型」の「乾性」の汚れとしては、代表的には、土壌、砂塵、カーボン等の無機系の粉塵が挙げられ、「小比重柔軟型」の汚れとしては、例えば、糸くずまたは綿埃のような繊維系塵埃、あるいは、小麦粉や片栗粉のような食品粉末系塵埃が挙げられる。
【００６６】
図１に示すように、自動販売機１０においては、凝縮器３２は、機械室１３の内部に収容され、機械室１３は外扉１４により閉止されている。機械室１３は半密閉構造ではないが、販売機本体１１の外部に水または油等の液体（媒体）が存在しても、機械室１３の内部には吸入され難い。言い換えれば、販売機本体１１の外部に「湿性」の汚れが存在しても、外扉１４により凝縮器３２への付着はほとんど回避することが可能である。
【００６７】
これに対して、「乾性」の汚れについては、特許文献１に開示される綿埃のような「小比重柔軟型」の汚れだけでなく、「大比重硬直型」の汚れも存在する。「小比重柔軟型」の汚れは、凝縮器ファン３５による外気の導入によって機械室１３の内部に容易に吸入され、凝縮器３２に付着する。また、「大比重硬直型」の汚れも、風で巻き上げられたりすることで、外気の導入に伴って機械室１３の内部に吸入される可能性がある。それゆえ、凝縮器３２に付着する汚れとしては、特に「乾性」のものに焦点を絞る必要がある。
【００６８】
本開示に係る自動販売機１０は、凝縮器３２の空気導入面、言い換えれば、空気の吸入方向の上流側の表面には、少なくとも乾性の汚れの付着を防止する防汚被覆膜が形成されている。これにより、凝縮器３２の空気導入面に乾性の汚れが付着することを有効に抑制または防止することが可能となる。また、防汚被覆膜は、汚れを付着し難くするものであるため、空気導入面に多少の汚れが付着しても容易に除去することができる。しかも、空気導入面に防汚被覆膜を形成するだけで良いので、凝縮器３２を製造する際に追加的な製造プロセスを実施したり自動販売機そのものの設計を変更したりする必要が回避される。これにより、既存の自動販売機１０においても本開示を容易に適用することができる。
【００６９】
［防汚被覆膜の構成］
次に、本開示に係る自動販売機１０の凝縮器（熱交換器）３２に形成されている防汚被覆膜について説明する。本開示に係る防汚被覆膜は、防汚性を有する被膜、より具体的には、特に乾性の汚れの付着を抑制または防止する被膜であればよく、その具体的な構成は特に限定されない。このような防汚被覆膜としては、フッ素系被膜、シリコーン系被膜、アクリル系被膜、微細凹凸構造を有する被膜等を挙げることができる。
【００７０】
フッ素系被膜は、その表面エネルギーが相対的に低いので乾性の汚れ等の付着を抑制することができる。シリコーン系被膜またはアクリル系被膜は、その表面平滑性が相対的に高いことから乾性の汚れ等の付着を抑制することができる。微細凹凸構造を有する被膜は、その表面の微細な凹凸により乾性の汚れ等の付着を有効に抑制することができる。
【００７１】
本開示に係る防汚被覆膜の代表的な一例としては、微細凹凸構造を有する被膜を挙げることができる。具体的には、例えば、少なくともナノ粒子により構成され、その表面の算術平均粗さＲａが２．５〜１００ｎｍの範囲内の凹凸を有する構成の防汚被覆膜を挙げることができる。防汚被覆膜を構成するナノ粒子は特に限定されないが、代表的には、金属ナノ粒子、無機酸化物ナノ粒子、無機窒化物ナノ粒子、無機カルコゲン化物ナノ粒子（無機酸化物ナノ粒子を除く）、（メタ）アクリル系樹脂ナノ粒子、フッ素樹脂ナノ粒子等を挙げることができる。
【００７２】
具体的には、例えば、金属ナノ粒子としては、金（Ａｕ）、銀（Ａｇ）、銅（Ｃｕ）、鉄白金（ＦｅＰｔ）等の周期表第１１族元素またはその合金；ニッケル（Ｎｉ，第１０族元素）、スズ（Ｓｎ，第１４族元素）等の周期表第１１族元素以外のメッキ用金属元素等を挙げることができる。また、無機酸化物ナノ粒子としては、シリカ（酸化ケイ素、ＳｉＯ2 ）、酸化イットリウム（Ｙ2Ｏ3）、チタン酸バリウム（ＢａＴｉＯ3 ）、アンチモンドープ酸化スズ（ＡＴＯ）、酸化チタン（ＴｉＯ2 ）、酸化インジウム（Ｉｎ2Ｏ3）等を挙げることができる。無機窒化物ナノ粒子としては、窒化ガリウム（ＧａＮ）等を挙げることができる。無機カルコゲン化物ナノ粒子としては、セレン化カドミウム（ＣｄＳｅ）等を挙げることができる。（メタ）アクリル系樹脂ナノ粒子としては、ポリメタクリル酸メチル（ＰＭＭＡ）等を挙げることができる。フッ素樹脂ナノ粒子としては、ポリテトラフルオロエチレン（ＰＴＦＥ）等を挙げることができる。
【００７３】
これらナノ粒子は、基本的には、１種類のみで防汚被覆膜を構成するが、複数種類が組み合わせられて防汚被覆膜を構成することもできる。これらの中でも、汎用性、コスト、平均粒径の調整のしやすさ等から、シリカナノ粒子が特に好ましく用いられる。また、防汚被覆膜は、基本的には、ナノ粒子のみで構成されるが、防汚被覆膜による防汚性能を妨げない限りでナノ粒子以外の成分を含んでもよい。例えば、防汚被覆膜は、ナノ粒子に加えて帯電防止剤を含んでもよい。
【００７４】
ナノ粒子の粒径は、ナノレベル（１μｍ未満）であれば特に限定されないが、本開示においては、１００ｎｍ以下であることが好ましく、５〜１００ｎｍの範囲内であることがより好ましい。また、平均粒径のより好ましい範囲としては、１５ｎｍ超１００ｎｍ未満の範囲内、あるいは、２０ｎｍ〜１００ｎｍの範囲内を挙げることもできる。
【００７５】
ナノ粒子の粒径が１００ｎｍ以下であれば、防汚被覆膜の表面においてナノレベルの凹凸構造を実現しやすくなる。また、防汚被覆膜の具体的な構成にもよるが、ナノ粒子の粒径が５〜１００ｎｍの範囲内であれば、ナノレベルの凹凸構造をより好適な範囲内に調整しやすくすることができる。さらに、防汚被覆膜が後述するように接着成分を含む場合には、ナノ粒子の粒径が１５ｎｍ超１００ｎｍ未満の範囲内、もしくは、２０〜１００ｎｍの範囲内に設定することで、ナノレベルの凹凸構造をより好適な範囲内に調整しやすくすることができる。
【００７６】
なお、防汚被覆膜の具体的な成分、防汚被覆膜の形成方法、被覆対象物である凝縮器（熱交換器）３２の表面状態等の諸条件にもよるが、ナノ粒子の粒径は小さ過ぎない方がよい傾向にある。ナノ粒子の粒径を小さくし過ぎると、ナノ粒子同士が凝集して粗大化する傾向にある。これにより、得られる防汚被覆膜においては、その表面の凹凸が、所定の算術平均粗さＲａの範囲内を超えて大きくなってしまう。この場合、乾性の汚れが、表面の大きな凹凸に引っかかりやすくなり、結果的に乾性の汚れが付着しやすくなる。
【００７７】
防汚被覆膜の表面の算術平均粗さＲａは、２．５〜１００ｎｍの範囲内であればよい。算術平均粗さＲａがこの範囲内であれば、このような防汚被覆膜を被覆対象物である凝縮器（熱交換器）３２に形成することで、少なくとも乾性の汚れの付着を有効に抑制または防止することが可能になる。
【００７８】
また、防汚被覆膜は、前記の通り、少なくともナノ粒子により構成され、表面の算術平均粗さＲａが前記の範囲内であればよく、それ以外の具体的構成は特に限定されない。例えば、防汚被覆膜の膜厚は特に限定されないが、一般的には、１μｍ（１，０００ｎｍ）未満であればよく、５００ｎｍ以下であることが好ましく、２０〜５００ｎｍの範囲内であることがより好ましい。
【００７９】
防汚被覆膜の膜厚が１μｍ未満すなわちナノレベルであれば、相対的に膜厚が小さく（薄く）なるため防汚被覆膜の帯電性を良好に軽減させ、乾性の汚れの付着を良好に抑制または防止することができるとともに、防汚被覆膜の透明性を向上することができる。また、諸条件にもよるが、膜厚が５００ｎｍ以下であれば、防汚被覆膜の帯電性をより一層良好に軽減させるとともに透明性をさらに向上することが可能となる。さらに、諸条件にもよるが、膜厚が２０〜５００ｎｍの範囲内であれば、透明性の向上および帯電性のさらなる軽減を実現でき、乾性の汚れの付着をより一層良好に抑制または防止することができる。
【００８０】
特に、膜厚が５００ｎｍ以下（もしくは２０〜５００ｎｍの範囲内）であれば、被覆対象物である凝縮器（熱交換器）３２は基本的に金属で構成されているため、防汚被覆膜が帯電しても凝縮器３２の導電性によりアース（接地）されることができるため、実質的な帯電を回避することが可能になる。これにより、乾性の汚れの付着をより一層有効に抑制または防止することができる。また、防汚被覆膜の膜厚が大きく（厚く）なると、当該防汚被覆膜がナノ粒子を主成分とするためクラックが生じやすくなるが、膜厚が５００ｎｍ以下であればクラックの発生を実質的に回避することができる。
【００８１】
防汚被覆膜の表面特性も特に限定されないが、表面抵抗率は１０13Ω／□以下であればよい。これにより、防汚被覆膜の帯電性を良好に軽減させることができるので、乾性の汚れの付着を良好に抑制または防止することができる。また、防汚被覆膜の水接触角は１５°未満であればよく、諸条件にもよるが１０°以下であってもよい。このように防汚被覆膜の水接触角が小さければ、その表面の親水性が向上する。そのため、乾性の汚れが防汚被覆膜の表面に堆積しても、水洗することで堆積した乾性の汚れを容易に除去することができる。
【００８２】
なお、ナノ粒子の粒径の測定方法は特に限定されず、公知の方法（拡散法、慣性法、沈降法、顕微鏡法、光散乱回折法等）を好適に用いることができる。本実施の計値では、公知の方法で測定された粒径がナノレベルにあればよい。また、防汚被覆膜の算術平均粗さＲａの測定（評価）方法は特に限定されず、例えば、レーザ顕微鏡または原子間力顕微鏡（ＡＦＭ）を用いて算術平均粗さＲａを測定（評価）し、ＪＩＳ  Ｂ０６０１に基づいて算出すればよい。さらに、防汚被覆膜の膜厚の測定方法も特に限定されないが、本実施の形態では、後述する実施例で説明するように、電子顕微鏡により被覆断面を観察し、複数の観察画像から測定した膜厚の平均値を算出している。また、防汚被覆膜の水接触角の測定（評価）方法も特に限定されず、例えば、協和界面科学（株）製接触角計、製品名：ＤＭｏ−５０１を用いて測定（評価）すればよい。
【００８３】
防汚被覆膜の具体的な形成方法（製造方法）は特に限定されず、ナノ粒子による微細な凹凸を形成することが可能であれば、公知のさまざまな方法を用いることができる。代表的な形成方法としては、ナノ粒子を含む塗工液（コーティング剤）を調製してこれを塗工する公知の塗工方法、ゾルゲル法、ナノインプリント、陽極酸化金型を用いた転写、サンドブラスト、セラミックスの自己組織化等を挙げることができる。
【００８４】
防汚被覆膜は、前記の通り、少なくともナノ粒子で構成されていればよいが、さらに、このナノ粒子との親和性を有する材料から少なくとも構成される接着成分を含有してもよい。接着成分の機能としては、ナノ粒子同士を接着させる機能とともに、ナノ粒子を被覆対象物である凝縮器（熱交換器）３２の表面に接着させる機能とを有していればよい。それゆえ、少なくともナノ粒子に対して親和性を有する材料が主成分となっていればよい。
【００８５】
防汚被覆膜が接着成分を含有することで、ナノ粒子で構成される防汚被覆膜の強度または耐久性を向上することができる。また、ナノ粒子が防汚被覆膜の表面で良好に維持されることから、表面の微細な凹凸が維持されやすくなり、乾性の汚れの付着を抑制または防止する効果を向上することができる。
【００８６】
具体的な接着成分の組成については特に限定されず、ナノ粒子に対して親和性を有していればよい。例えば、ナノ粒子がシリカナノ粒子であれば、シリカとの親和性を有する材料を接着成分として用いることができる。シリカとの親和性を有する材料としては、テトラメトキシシランまたはテトラエトキシシラン等のシラン化合物、アクリル樹脂、フッ素樹脂等を挙げることができる。また、接着成分には、これら材料に加えて公知の添加剤が含まれてもよい。したがって、本開示に係る熱交換器では、防汚被覆膜は、少なくともナノ粒子で構成されていればよいが、ナノ粒子に加えて接着成分を含有する構成であってもよく、ナノ粒子および接着成分に加えて公知の添加剤を含有する構成であってもよい。
【００８７】
防汚被覆膜が接着成分を含有する場合、その含有量（含有率）は特に限定されないが、例えば、防汚被覆膜の全重量を１００重量％としたときに、好ましい範囲として５〜６０重量％の範囲内を挙げることができ、より好ましい範囲として１０〜５０重量％の範囲内を挙げることができる。諸条件にもよるが、接着成分が６０重量％を超えれば、ナノ粒子に対して接着成分の量が多くなりすぎて、防汚被覆膜の表面の算術平均粗さＲａが所定の範囲から外れるおそれがある。また接着成分が５重量％未満であれば、接着成分の含有量に見合った強度または耐久性の向上等の効果が十分に得られないおそれがある。
【００８８】
本開示においては、凝縮器（熱交換器）３２の製造時（言い換えれば、自動販売機１０の製造時）に防汚被覆膜を形成すればよいが、既存の自動販売機１０が備える凝縮器３２に対して防汚被覆膜を形成することもできる。防汚被覆膜を凝縮器３２に形成する方法は特に限定されず、凝縮器３２の製造時であれば、前述した各方法等の公知の方法のうち好適なものを適宜選択して用いることができる。既存の自動販売機１０の凝縮器３２に対して防汚被覆膜を形成する場合には、代表的には塗工方法を用いることができる。すなわち、ナノ粒子を含む塗工液（コーティング剤）を準備しておき、既存の自動販売機１０の凝縮器３２に塗工液を塗工すればよい。これにより、容易に防汚被覆膜を形成することができる。
【００８９】
本実施の形態では、図３（Ａ），（Ｂ）に示すように、防汚被覆膜３７は、凝縮器３２（熱交換器）が備えるフィン５０における前側端面５０ａに少なくとも形成される構成を例示している。このような構成では、凝縮器３２におけるフィン５０の前側端面５０ａに対して公知の方法（ローラー、スプレー、含浸部材（例えばスポンジ）等）で塗工液を塗工すればよい。この場合、図３（Ａ），（Ｂ）に示すように、フィン５０において、前側端面５０ａに隣接する各面（側面５０ｂ等）の一部にも防汚被覆膜３７が形成されてもよい。
【００９０】
後述する比較例でも説明するように、凝縮器３２の前面に防汚被覆膜３７を形成しない場合には多量の塵埃が付着するが、防汚被覆膜３７を形成すれば、塵埃の付着を有効に抑制することができる。ここで、多量の塵埃が付着している状態では、前側端面に塵埃が積もったような状態（後述する図４（Ｂ）参照）となるので、塵埃は、前側端面だけでなく隣接する側面等の一部にも付着し得る。
【００９１】
したがって、熱交換器が備えるフィンの前側の部位のうち、少なくとも、空気吸入方向における最上流部位である、前側端面に防汚被覆膜が形成されていれば、塵埃の付着を抑制することができる。さらに、図３（Ａ），（Ｂ）に例示するように、前側端面に隣接する側面の一部にも防汚被覆膜が形成されていれば、側面の前側付近においても塵埃の付着を抑制することができるので、空気導入面に乾性の汚れが付着することをより一層有効に抑制または防止することができる。
【００９２】
あるいは、本開示においては、熱交換器が備えるフィンの前側端面および当該前側端面に隣接する側面の一部以外にも、熱交換器における前側に面する部位または前側に面する構造であって前側端面以外となる部位または構造における前面にも防汚被覆膜が形成されてもよい。これにより、熱交換器におけるフィン以外の部位または構造において、前側に面する領域に乾性の汚れが付着することを有効に抑制または防止することができる。
【００９３】
ここで、本開示に係る自動販売機においては、熱交換器の全体に防汚被覆膜が形成されることは好ましくない。熱交換器の表面全体に防汚被覆膜を形成しようとすると、自動販売機を製造する前に熱交換器の表面全体に防汚被覆膜を形成する工程を追加したり、設置済の自動販売機であれば、熱交換器を取り外して表面全体に防汚被覆膜を形成する作業を追加したりする必要がある。
【００９４】
これに対して、本開示においては、熱交換器において実質的に前面（およびその隣接する面の一部）のみに防汚被覆膜を形成するだけでよいので、熱交換器の空気導入面に防汚被覆膜を形成するだけで済む。それゆえ、前記の通り、製造時の追加的なプロセス、あるいは、熱交換器の取外し等の追加的な作業は実質的に不要となるので、簡素な構成で製造コストの増大を抑制しつつ、熱交換器の効率の低下を有効に抑制することができる。
【００９５】
したがって、本開示に係る自動販売機においては、防汚被覆膜は、少なくとも、熱交換器の前側の部位であって、空気吸入方向における最上流部位の前面に形成されおり、当該熱交換器の表面全体には防汚被覆膜は形成されていない構成であればよい。また、本開示においては、防汚被覆膜は、熱交換器の表面全体でなくても後面に形成されていない構成であってもよい。例えば、設置済の自動販売機において防汚被覆膜を熱交換器の後面に形成するためには、熱交換器を取り外す作業が必要になる。同様に理由で、熱交換器の側面全体に防汚被覆膜が形成されていない構成であってもよい。側面のうち防汚被覆膜が形成されてもよいのは、前面に隣接する一部のみを挙げることができる。
【００９６】
［防汚被覆膜の塵埃付着率］
前記構成の防汚被覆膜は、その塵埃付着率が１５％以下となっている。ここで、本開示における塵埃付着率とは、防汚被覆膜が形成されない凝縮器（熱交換器）３２の表面（被覆前表面）における模擬塵埃の付着量に対する、防汚被覆膜が形成された凝縮器３２の表面（防汚被覆膜により構成される被覆表面）における模擬塵埃の付着量として算出される。
【００９７】
前述した通り、「乾性」の汚れには、相対的に比重が大きく硬い「大比重硬直型」のものと、相対的に比重が小さく柔らかい「小比重柔軟型」のものとが存在する。本開示においては、塵埃付着率の算出に用いられる模擬塵埃は、「大比重硬直型」の模擬塵埃および「小比重柔軟型」の模擬塵埃を混合した混合模擬塵埃が好適に用いられる。一般に、「大比重硬直型」の模擬塵埃は、無機系材料で構成される塵埃であり、「小比重柔軟型」の模擬塵埃は、有機系材料で構成される模擬塵埃である。
【００９８】
「大比重硬直型」の模擬塵埃および「小比重柔軟型」の模擬塵埃の具体的な種類は特に限定されないが、ＪＩＳ（日本工業規格）等のような各種規格で定められる試験用粉体等のうち、「大比重硬直型」または「小比重柔軟型」に該当するものを適宜選択して用いることができる。本開示では、後述する実施例に示すように、「大比重硬直型」の模擬塵埃として、無機系材料であるであるフライアッシュを用いるとともに、「小比重柔軟型」の模擬塵埃として、有機材材料であるコットンリンタを用いている。また、「大比重硬直型」の模擬塵埃および「小比重柔軟型」の模擬塵埃は、いずれも１種類であってもよいし、２種類以上を組み合わせて用いてもよい。
【００９９】
コットンリンタとしては、公益社団法人日本空気清浄協会（ＪＡＣＡ）により試験用粉体の１種として販売されるものが用いられる。コーンスターチは市販のものである。けい砂は「大比重硬直型」の付着を評価するために用いられ、コットンリンタは「小比重柔軟型」のうち繊維系塵埃の付着を評価するために用いられ、コーンスターチは「小比重柔軟型」のうち食品粉末系塵埃の付着を評価するために用いられる。したがって、「大比重硬直型」の模擬塵埃および「小比重柔軟型」の模擬塵埃の混合塵埃の好適な一例としては、有機系の模擬塵埃および無機系の模擬塵埃を混合した混合模擬塵埃を挙げることができる。
【０１００】
塵埃付着率は、前述したように、凝縮器（熱交換器）３２における防汚被覆膜の被覆前表面における混合模擬塵埃の付着量に対する、防汚被覆膜による構成される被覆表面における混合模擬塵埃の付着量の比率として定義される。本開示では、被覆前表面または被覆表面における混合模擬塵埃の付着量は、光学顕微鏡で撮影した画像を二値化処理することにより算出される、残存する混合模擬塵埃の面積比率として算出される。なお、この面積比率を塵埃付着面積とする。被覆前表面での塵埃付着面積をＡ0 とし、被覆表面での塵埃付着面積をＡ1 としたときに、塵埃付着率ＡR は、次式（１）で算出することができる。
【０１０１】
【数１】
2019095179.tif 000003
【０１０２】
防汚被覆膜の塵埃付着率は１５％以下であればよいが、１０％以下であることが好ましく、５％以下であることがより好ましく、２％以下であることが特に好ましい。塵埃付着率が１５％以下であれば、目視による塵埃の付着が目立たないため、十分な防汚性能が得られていると判断することができる。
【０１０３】
塵埃付着率を算出する際には、例えば、凝縮器３２の表面の一部もしくは凝縮器３２の一部を断片化したものに防汚被覆膜を形成することで、これを評価用サンプルとして用いることができる。評価用サンプルにおいて、防汚被覆膜が形成された表面を「被覆表面」としたときに、混合模擬塵埃は、この被覆表面に付着させることになるが、混合模擬塵埃を付着させる前に、評価用サンプルを除電することが好ましい。
【０１０４】
また、評価用サンプルに混合模擬塵埃を付着させる方法、並びに、付着した混合模擬塵埃をふるい落す方法も特に限定されず、種々の方法を好適に用いることができる。例えば、後述する実施例では、混合模擬塵埃を被覆表面に所定量堆積させてから、評価用サンプルを垂直に傾けて落下させることにより、混合模擬塵埃をふるい落している。また、光学顕微鏡による被覆表面の画像撮影についても特に限定されず、混合模擬塵埃を観察可能な倍率で複数の画像を撮影すればよい。撮影した画像の二値化処理についても特に限定されず、公知の画像処理ソフトウェア等を用いればよい。
【０１０５】
ここで、本開示においては、防汚被覆膜は、少なくとも熱交換器における空気導入面（空気の吸入方向の上流側となる表面）に形成されていればよいが、熱交換器において、空気導入面以外の表面にも防汚被覆膜が形成されてもよい。例えば、熱交換器が備える管（冷媒管または多孔管等）の表面にも防汚被覆膜が形成されてもよいし、熱交換器の側面にも防汚被覆膜が形成されてもよいし、熱交換器の表面全体に防汚被覆膜が形成されてもよい。したがって、本開示においては、凝縮器３２等の熱交換器は、少なくとも空気導入面に防汚被覆膜が形成される構成であればよく、空気導入面以外の表面にも防汚被覆膜が形成される構成であってもよい。
【実施例】
【０１０６】
本発明について、実施例および比較例に基づいてより具体的に説明するが、本発明はこれに限定されるものではない。当業者は本発明の範囲を逸脱することなく、種々の変更、修正、および改変を行うことができる。
【０１０７】
（混合模擬塵埃）
「小比重柔軟型」の模擬塵埃として、公益社団法人日本空気清浄協会（ＪＡＣＡ）により試験用粉体に販売されるコットンリンタと、ＪＡＣＡにより試験用粉体に販売されるフライアッシュとを用いた。コットンリンタとフライアッシュとをそれぞれ重量比で１対２となるように（コットンリンタ：フライアッシュ＝１：２）秤量して、十分に混合して混合模擬塵埃とした。
【０１０８】
（実施例・比較例）
平均粒径２０ｎｍのシリカ粒子を、分散媒であるエタノールにｐＨ調整等により十分に分散させた塗工液を公知の方法で調製した。この塗工液を、自動販売機が備える凝縮器（熱交換器）の前面（空気導入面）の約半分の領域にスプレーを用いて塗工し、その膜厚が５００ｎｍ以下となるように防汚被覆膜を形成した。防汚被覆膜が形成された凝縮器の前面の約半分を実施例とし、防汚被覆膜が形成されなかった残りの約半分を比較例とした。
【０１０９】
自動販売機の冷却運転（通常）を開始するとともに、当該自動販売機における凝縮器（機械室）の前側において、約５０ｇの混合模擬塵埃をミキサーで攪拌し、これにより、混合模擬塵埃を凝縮器に吸引させた。この混合模擬塵埃の攪拌および吸引を１０分程度継続することにより、約５年に相当すると見込まれる運転時間を模擬的に再現した。冷却運転の終了後、凝縮器の前面を目視で観察した。実施例の結果（二値化写真）を図４（Ａ）に示し、比較例の結果（二値化写真）を図４（Ｂ）に示す。
【０１１０】
図４（Ａ）および（Ｂ）の結果から明らかなように、本開示に係る防汚被覆膜を形成した凝縮器の前面半分には、ほとんど混合模擬塵埃は付着していなかった。一方、防汚被覆膜を形成しなかった凝縮器の前面半分には、多量の混合模擬塵埃が付着していた。
【０１１１】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【０１１２】
本発明は、熱交換器が下部に設けられている自動販売機の分野に広く好適に用いることができる。
【符号の説明】
【０１１３】
１０：自動販売機
１１：販売機本体
１２：収納室
１３：機械室
１４：外扉
１５：内扉
１６：内部断熱壁
２０：収納棚
２１：商品投入口
２２：商品シュート
２３：商品搬出口
２４：搬出口扉
２５：庫内ファン
２６：庫内ダクト
３０：冷却装置（冷凍サイクルシステム）
３１：圧縮機
３２：凝縮器（熱交換器）
３３：冷却器
３４：配管
３５：凝縮器ファン
３６：電装箱
３７：防汚被覆膜
４０：商品
４１：商品取出口
４２：取出口扉
４３：商品見本
４４：商品選択ボタン
５０：フィン
【図１】
2019095179.tif 000004
【図２】
2019095179.tif 000005
【図３】
2019095179.tif 000006
【図４】
2019095179.tif 000007